(57)【要約】【課題】新たに発煙装置を設置することなく、発煙弾発射装置を用いた発煙装置を提供する。【解決手段】発煙弾発射装置２０の発煙弾発射筒２１に設けた係止溝２１ａにリング状弾性部材６を嵌合し、筒状本体３内側に発煙部４を内装し、筒状本体３上部を小径の孔５ａが形成されたシール部材５によって閉塞した模擬発煙弾２を、前記リング状弾性部材６を介して発煙弾発射筒２１に装填する。すると、模擬発煙弾２は、リング状弾性部材６により発煙弾発射筒２１に装填状態に保持される。【選択図】  図１
2004225925.tif 000002
【特許請求の範囲】
【請求項１】
発煙弾側の電気接点と接触する電気接点を有する発煙弾発射筒を備えた発煙弾発射装置において、模擬発煙弾の外周に係合溝を形成し、発煙弾発射筒の先端外周に係止溝を設け、その係止溝にリング状弾性部材を嵌合し、そのリング状弾性部材において発煙弾発射筒の先端面より先の部分の内周部は、前記模擬発煙弾の係合溝と係合して模擬発煙弾を発射筒に装填状態に保持すると共に模擬発煙弾外周をシールする保持部に形成され、模擬発煙弾には模擬発煙弾をリング状弾性部材を介して発射筒に装填した状態で、発射筒側の電気接点と接触する位置に発煙弾側の電気接点を設け、電気接点を介して模擬発煙弾を発火させたとき、模擬発煙弾が装填位置で発煙するようにしたことを特徴とする発煙弾発射装置を用いた発煙装置。
【請求項２】
模擬発煙弾は、筒状本体内側に発煙部を内装しており、筒状本体外周に係合溝を形成して成り、前記発煙部は、筒状本体に対して取り付け取り外しできるようになっていることを特徴とする請求項１記載の発煙弾発射装置を用いた発煙装置。
【請求項３】
リング状弾性部材は、ゴムリングで構成されることを特徴とする請求項１または２記載の発煙弾発射装置を用いた発煙装置。
【請求項４】
発煙弾発射筒の先端外周に設ける係止溝は、発煙弾の先端に取り付けてある装着具と係脱する係止溝であることを特徴とする請求項１〜３の何れかに記載の発煙弾発射装置を用いた発煙装置。
【発明の詳細な説明】
【０００１】
【発明の属する技術分野】
本発明は、戦車などの戦闘車両に搭載される発煙弾発射装置を用いた発煙装置に関し、特に、戦闘訓練時に被弾したことを知らせる発煙装置に係る。
【０００２】
【従来の技術】
従来、実弾を用いない射撃訓練では、レーザ光の光線を用いて被弾を音、光、発煙などで判定する方法が知られている。例えば特許文献１に記載の射撃訓練装置は、車両に装着された受光器がレーザ光により被弾したことを検知すると、その受光器に設けられた発煙機構により発煙させるように構成されたものである。前記発煙機構は、発煙筒装填部に、発煙薬及び点火機構を内蔵し、上部を紙から成るシール部材で閉塞した発煙部が装填されたものであり、点火機構を作動させて発煙薬を点火させると、煙が上部開口を閉塞するシール部材を破って噴出するようになっている。
【０００３】
そして、射撃訓練は天候に関係なく行われることから、雨天時にはシール部材が雨水によって破れ、発煙部上部より水が内部に浸入し発煙薬を湿らせると発煙不能となるために、発煙筒上部に発煙筒の外径より若干小径の孔が形成された蓋部材を設置したり、発煙噴出方向を下方となるように発煙部を装着したものが知られている（特許文献２、特許文献３）。一方、戦車などの戦闘車両の戦闘において、発煙弾を発射して自らの姿を見えなくするための発煙弾発射装置が周知である。例えば特許文献４に記載の発煙弾発射装置は、発煙弾側の電気接点と発射筒内側の電気接点とを接触させ、電気的に発射薬を発火させて発煙弾を発射するように構成されたものである。
【０００４】
【特許文献１】
特開２００２−３４０４９８号公報
【特許文献２】
特開平９−３３１９５号公報
【特許文献３】
特開平１０−２０８１６０号公報
【特許文献４】
実公平６−２４７１６号公報
【０００５】
【発明が解決しようとする課題】
戦車などの戦闘車両に搭載された発煙弾発射装置の発煙弾発射筒に、発煙弾の替わりに上記発煙部を装填して戦闘訓練を行う場合には、次の問題があった。▲１▼発煙弾を上方に発射させるために設置された発煙弾発射筒に、発煙噴射方向が下方となるように発煙部を装填することができない。▲２▼発煙弾発射筒上部に発煙部の外径より若干小径の孔が形成された蓋部材を設置すると、戦闘時に発煙弾を発射させるときの邪魔になる。▲３▼発煙部上部を閉塞するシール部材を耐水性のあるシール部材としても、発煙弾発射筒と発煙部との間から水が侵入して、電気接点を濡らすおそれがある。そこで、本発明の課題は、新たに発煙装置を設置することなく、発煙弾発射装置を用いた発煙装置を提供することにある。また、発煙弾発射筒内部に雨水の侵入を防止できる模擬発煙弾装着構造を提供することにある。
【０００６】
【課題を解決するための手段】
上記課題解決のため、本願では、発煙弾側の電気接点と接触する電気接点を有する発煙弾発射筒を備えた発煙弾発射装置において、模擬発煙弾の外周に係合溝を形成し、発煙弾発射筒の先端外周に係止溝を設け、その係止溝にリング状弾性部材を嵌合し、そのリング状弾性部材において発煙弾発射筒の先端面より先の部分の内周部は、前記模擬発煙弾の係合溝と係合して模擬発煙弾を発射筒に装填状態に保持すると共に模擬発煙弾外周をシールする保持部に形成され、模擬発煙弾には模擬発煙弾をリング状弾性部材を介して発射筒に装填した状態で、発射筒側の電気接点と接触する位置に発煙弾側の電気接点を設け、電気接点を介して模擬発煙弾を発火させたとき、模擬発煙弾が装填位置で発煙するようにした。
【０００７】
具体的に模擬発煙弾は、筒状本体内側に発煙部を内装しており、筒状本体外周に係合溝を形成して成り、前記発煙部は、筒状本体に対して取り付け取り外しできるようになっている。上記リング状弾性部材は、ゴムリングで構成される。また、上記発煙弾発射筒の先端外周に設ける係止溝は、発煙弾の先端に取り付けてある装着具と係脱する係止溝である。
【０００８】
【発明の実施の形態】
実施の形態について図面を参照して説明する。図１は、戦車などの戦闘車両Ｓに搭載される発煙弾発射装置２０を用いた発煙装置１を示す。先ず、発煙弾発射装置２０について説明する。図２に示すように、発煙弾発射装置２０の発煙弾発射筒２１は、基底板２２の上面に所定の射角（通常は４５°）θ１を持たせて基底板２２と一体に設けられている。その基底板２２はユニットベース２３（戦車などの戦闘車両Ｓへの取付部位が特定された専用品）に固定されている。発煙弾発射筒２１の底部には発煙弾４０の弾底部４１を支承する弾底受２４が設置されている。この弾底受２４により、発煙弾発射筒２１に挿入された発煙弾４０は所定の位置に装填される。そして、発煙弾発射筒２１の先端外周に設けた係止溝２１ａに係脱自在に取付けられた装着具２５（例えばゴム製の蓋）により、発煙弾４０が前記位置において保持される。
【０００９】
発煙弾４０の弾底部４１の近辺には、外周壁を囲撓する如く二本の電気接点４２が帯状に設けられている。発煙弾４０には、発煙薬４３、発射薬４４及び点火機構４５が内蔵されており、前記電気接点４２と点火機構４５がリード線４６を介して接続されている。発煙弾発射筒２１側には、発煙弾４０側に設けられた電気接点４２と接触するように電気接点２６が設けられている。その電気接点２６は、円柱状の接点ホルダー２７にバネ（図示しない）により筒２１内に突出するように設置されている。電気接点２６はリード線２８を介して車両Ｓの電源５０に接続されている。このことから、発煙弾発射装置２０は、発煙弾４０側の電気接点４２と発煙弾発射筒２１側の電気接点２６とを接触させ、車両Ｓの電源５０により接点２６，４２を介して通電すると、発煙弾４０に内蔵した点火機構４５が作動して発射薬４４が発火することで発煙弾４０が発射されるようになっている。
【００１０】
上記発煙弾発射筒２１に、模擬発煙弾２を装填することで発煙装置１が構成される。模擬発煙弾２は筒状本体３内側に発煙部４を内装し、筒状本体３上部を小径の孔５ａが形成されたシール部材５によって閉塞されたものである。このシール部材５は防水加工が施されている。その模擬発煙弾２は、発煙弾発射筒２１に挿入されると弾底受２４により所定の位置に装填される。そして、筒状本体３外周に形成された係合溝３ａに、発煙弾発射筒２１の係止溝２１ａに嵌合したリング状弾性部材６が係合すると、模擬発煙弾２が前記位置において保持される。発煙部４は、発煙部本体７に発煙薬８及び点火機構９が内蔵され、発煙部本体７の上部が紙部材１０で閉塞されたものである。その発煙部４は、筒状本体３に挿入されると筒状本体３の係合溝３ａにより所定の位置に装填される。そして、筒状本体３上部に取付けられるシール部材５により、発煙部４が前記位置において保持される。前記シール部材５は係脱可能であるので、発煙部４は筒状本体３に対して取り付け取り外しできる。
【００１１】
発煙弾発射筒２１の係止溝２１ａに嵌合してあるリング状弾性部材６は、ゴムリングで構成されている。そのゴムリング６において発煙弾発射筒２１の先端面より先の部分の内周部は、前記模擬発煙弾２の係合溝３ａと係合して模擬発煙弾２を発煙弾発射筒２１に装填状態に保持すると共に模擬発煙弾２外周を水密にシールする保持部６ａに形成される。模擬発煙弾２には、模擬発煙弾２をゴムリング６を介して発煙弾発射筒２１に装填した状態で、発煙弾発射筒２１の電気接点２６と接触する位置に、発煙弾４０と同様の電気接点４２ａが設けられている。その電気接点４２ａに取付けられたリード線１１は、発煙部４の点火機構９に取付けられたリード線１２とコネクタ１３を介して接続されている。このことから、模擬発煙弾２をゴムリング６を介して発煙弾発射筒２１に装填した状態で、模擬発煙弾２側の電気接点４２ａと発煙弾発射筒２１側の電気接点２７とを通電することで、模擬発煙弾２に内装された発煙部４の点火機構９が作動して、発煙薬８が点火すると煙が上部開口を閉塞する紙部材１０を破ってシール部材５の孔５ａから上方に噴出するようになっている。
【００１２】
従って、戦闘訓練前には、レーザ光を検知すると電源５０に信号を送るように構成された複数の受光器５１を車両Ｓに取り付け、発煙弾発射装置２０の発煙弾発射筒２１には、リング状弾性部材６を介して模擬発煙弾２を装填しておく。すると、戦闘訓練時には、何れかの受光器５１にレーザ光が命中すると、受光器５１から電源５０に信号が送られ、模擬発煙弾２から発煙させることで、車両Ｓが被弾したことが判定されるようになる。このように、発煙弾発射装置２０の発煙弾発射筒２１に、発煙部４を内装した模擬発煙弾２を装填することで発煙装置１が構成されるので、新たに発煙装置１を車両Ｓに設置する必要がない。更に、発煙弾発射筒２１に嵌合したリング状弾性部材６を介して模擬発煙弾２を装填してあるので、発煙弾発射筒２１と模擬発煙弾２との間から水が浸入することがないから、発射筒２１の上部に蓋部材を設置したり、発煙噴射方向が下方となるように発煙部４を装填する必要がない。また、リング状弾性部材６により模擬発煙弾２が保持されることで、戦闘訓練時に車両Ｓが上下左右に激しく移動しても、模擬発煙弾２が発煙弾発射筒２１から抜け出ることはない。
【００１３】
他の実施形態の模擬発煙弾２を図３に示す。筒状本体３Ａには、筒状本体３Ａ内側における内径Ｌ１，Ｌ２が異なる係合溝３Ａａ，３Ａｂが形成されている。筒状本体３Ａの上部側に形成された一方の係合溝３Ａａの内径Ｌ１は、他方の内径Ｌ２より大きく設定してある。筒状本体３Ａに内装される発煙部４の発煙部本体７ａは、上記の発煙部本体７より外径を小さくしてあることから、筒状本体３Ａに挿入されると、一方の係合溝３Ａａを通り抜けて他方の係合溝３Ａｂにより所定の位置に装填される。そして、筒状本体３Ａ上部に取付けられるシール部材５により、発煙部４が前記位置において保持される。このことから、模擬発煙弾２が上記実施形態より短寸化される。
【００１４】
【発明の効果】
以上のように本願では、発煙弾発射装置の発射筒を流用するから、別途、発煙装置を戦闘車両に取り付けなくて良く、安価になる。そして、リング状弾性部材で模擬発煙弾を発射筒に保持させると、模擬発煙弾外周も同時シールされるので、発射筒に模擬発煙弾を保持する操作で外部からの雨水が発射筒内部に浸入して電気接点を濡らすなどのおそれがない。更に模擬発煙弾は、発煙部を交換して繰り返し使用できる。
【図面の簡単な説明】
【図１】本発明の発煙弾発射装置を用いた発煙装置を示す図である。
【図２】戦車などの戦闘車両に搭載される発煙弾発射装置を示す図である。
【図３】他の実施形態を示す図である。
【符号の説明】
１    発煙装置
２    模擬発煙弾
３    筒状本体
３ａ  係合溝
４    発煙部
６    ゴムリング
６ａ  保持部
２０    発煙弾発射装置
２１    発煙弾発射筒
２１ａ  係止溝
２５    弾性装着具
２６    電気接点
４２    電気接点
４２ａ  電気接点
【図１】
2004225925.tif 000003
【図２】
2004225925.tif 000004
【図３】
2004225925.tif 000005